(57)【要約】【課題】簡単な構成でプログラマブルな制御を行うことができるようにする。【解決手段】入力操作部１１により外部機器のそれぞれの電源をオン又はオフするためのコードと、遠隔操作の開始時刻を示すアラーム時刻とを含むリモコン送信パターンの指定が行われると、その指定されたリモコン送信パターンが記憶回路１２に記憶され、時刻判定回路１３により現在時刻と記憶回路１２に記憶されたリモコン送信パターンに含まれるアラーム時刻とが比較され、そのアラーム時刻が現在時刻に到達したと判定されると、読出回路１６により記憶回路１２に記憶されたリモコン送信パターンに含まれるコードの読み出しが行われ、リモコン信号送信部１７により読出回路１６によって読み出されたコードに基づき、リモコンコード信号が送信されるようにした。【選択図】図２
2007116280.tif 000002
【特許請求の範囲】
【請求項１】
複数の外部機器の電源を遠隔操作によって制御する遠隔制御装置であって、
前記外部機器のそれぞれの電源をオン又はオフするためのコードと、前記遠隔操作の開始時刻を示すアラーム時刻とを含むリモコン送信パターンの指定を行う入力操作手段と、
前記指定されたリモコン送信パターンを記憶する記憶手段と、
現在時刻と前記記憶手段に記憶されたリモコン送信パターンに含まれるアラーム時刻とを比較し、現在時刻の前記アラーム時刻への到達状況を判定する時刻判定手段と、
前記判定結果により、前記記憶手段に記憶された前記リモコン送信パターンに含まれるコードの読み出しを行う読出手段と、
前記読出手段によって読み出された前記コードに基づき、リモコンコード信号を送信するリモコン信号送信手段とを備える
ことを特徴とする遠隔制御装置。
【請求項２】
前記リモコン送信パターンは、外部機器毎にアラーム時刻が指定されたものであることを特徴とする請求項１に記載の遠隔制御装置。
【請求項３】
前記リモコン送信パターンは、アラーム時刻に対応させて外部機器毎のコードがまとめて指定されたものであることを特徴とする請求項１に記載の遠隔制御装置。
【請求項４】
複数の外部機器の電源を遠隔操作によって制御する遠隔制御方法であって、
前記外部機器のそれぞれの電源をオン又はオフするためのコードと、前記遠隔操作の開始時刻を示すアラーム時刻とを含むリモコン送信パターンの指定が行われると、その指定されたリモコン送信パターンを記憶するステップと、
現在時刻と前記記憶されたリモコン送信パターンに含まれるアラーム時刻とを比較し、現在時刻の前記アラーム時刻への到達状況を判定するステップと、
前記判定結果により、前記記憶された前記リモコン送信パターンに含まれるコードの読み出しを行うステップと、
読み出された前記コードに基づき、リモコンコード信号を送信するステップとを有する
ことを特徴とする遠隔制御方法。
【請求項５】
前記リモコン送信パターンは、外部機器毎にアラーム時刻が指定されたものであることを特徴とする請求項４に記載の遠隔制御方法。
【請求項６】
前記リモコン送信パターンは、アラーム時刻に対応させて外部機器毎のコードがまとめて指定されたものであることを特徴とする請求項４に記載の遠隔制御方法。
【発明の詳細な説明】
【技術分野】
【０００１】
本発明は、照明機器、音響機器、映像表示機器等の外部機器の電源のオン／オフをプログラマブルに遠隔制御する遠隔制御装置及び遠隔制御方法に関する。
【背景技術】
【０００２】
従来より、目覚まし時計の目覚まし機能を用いて照明機器、音響機器、映像表示機器等の外部機器の電源を遠隔操作によって制御する技術が知られている。
【０００３】
たとえば特許文献１では、目覚まし時計に天井灯用リモコン電源スイッチ及びテレビ用リモコン電源スイッチを配置し、これらの電源スイッチをそれぞれ天井灯用タイマ及びテレビ用タイマに接続することで、それぞれのタイマが設定時刻になると、室内照明やテレビが自動でオフされるようにした目覚まし時計を提案している。
【特許文献１】特開２００２−７８０３５号公報
【発明の開示】
【発明が解決しようとする課題】
【０００４】
ところで、上述した特許文献１では、室内照明及びテレビのそれぞれに対応させたタイマによる設定時刻でそれぞれの電源をオフさせるようにしているため、室内照明及びテレビに加え、音響機器等の外部機器を新たに制御しようとすると、音響機器等の外部機器に対応させたタイマを新たに設ける必要があり、部品点数が増加してしまうという問題があった。
【０００５】
また、上述した特許文献１では、室内照明及びテレビの電源の消し忘れを無くすために、それぞれのタイマによる設定時刻でそれぞれの電源をオフするようにしているため、室内照明及びテレビのそれぞれの電源をある時刻のときにオフさせ、さらにある時刻のときにオンさせようとするようなプログラマブルな制御を行うことはできないという問題があった。
【０００６】
本発明は、このような状況に鑑みてなされたものであり、上記問題点を解決することができる遠隔制御装置及び遠隔制御方法を提供することを目的とする。
【課題を解決するための手段】
【０００７】
本発明の遠隔制御装置は、複数の外部機器の電源を遠隔操作によって制御する遠隔制御装置であって、前記外部機器のそれぞれの電源をオン又はオフするためのコードと、前記遠隔操作の開始時刻を示すアラーム時刻とを含むリモコン送信パターンの指定を行う入力操作手段と、前記指定されたリモコン送信パターンを記憶する記憶手段と、現在時刻と前記記憶手段に記憶されたリモコン送信パターンに含まれるアラーム時刻とを比較し、現在時刻の前記アラーム時刻への到達状況を判定する時刻判定手段と、前記判定結果により、前記記憶手段に記憶された前記リモコン送信パターンに含まれるコードの読み出しを行う読出手段と、前記読出手段によって読み出された前記コードに基づき、リモコンコード信号を送信するリモコン信号送信手段とを備えることを特徴とする。
また、前記リモコン送信パターンは、外部機器毎にアラーム時刻が指定されたものであるようにすることができる。
また、前記リモコン送信パターンは、アラーム時刻に対応させて外部機器毎のコードがまとめて指定されたものであるようにすることができる。
本発明の遠隔制御方法は、複数の外部機器の電源を遠隔操作によって制御する遠隔制御方法であって、前記外部機器のそれぞれの電源をオン又はオフするためのコードと、前記遠隔操作の開始時刻を示すアラーム時刻とを含むリモコン送信パターンの指定が行われると、その指定されたリモコン送信パターンを記憶するステップと、現在時刻と前記記憶されたリモコン送信パターンに含まれるアラーム時刻とを比較し、現在時刻の前記アラーム時刻への到達状況を判定するステップと、前記判定結果により、前記記憶された前記リモコン送信パターンに含まれるコードの読み出しを行うステップと、読み出された前記コードに基づき、リモコンコード信号を送信するステップとを有することを特徴とする。
また、前記リモコン送信パターンは、外部機器毎にアラーム時刻が指定されたものであるようにすることができる。
また、前記リモコン送信パターンは、アラーム時刻に対応させて外部機器毎のコードがまとめて指定されたものであるようにすることができる。
本発明の遠隔制御装置及び遠隔制御方法では、外部機器のそれぞれの電源をオン又はオフするためのコードと、遠隔操作の開始時刻を示すアラーム時刻とを含むリモコン送信パターンの指定が行われると、その指定されたリモコン送信パターンが記憶され、現在時刻と記憶されたリモコン送信パターンに含まれるアラーム時刻との比較により、例えばアラーム時刻が現在時刻に到達したと判定されると、記憶されたリモコン送信パターンに含まれるコードの読み出しが行われ、その読み出されたコードに基づき、リモコンコード信号が送信されることで、複数の外部機器の電源が遠隔操作により制御される。
【発明の効果】
【０００８】
本発明の遠隔制御装置及び遠隔制御方法によれば、外部機器のそれぞれの電源をオン又はオフするためのコードと、遠隔操作の開始時刻を示すアラーム時刻とを含むリモコン送信パターンが指定されることにより、複数の外部機器の電源が遠隔操作されるようにしたので、簡単な構成でプログラマブルな制御を行うことができる。
【発明を実施するための最良の形態】
【０００９】
本実施形態では、入力操作手段により外部機器のそれぞれの電源をオン又はオフするためのコードと、遠隔操作の開始時刻を示すアラーム時刻とを含むリモコン送信パターンの指定が行われると、その指定されたリモコン送信パターンが記憶手段に記憶され、時刻判定手段により現在時刻と記憶手段に記憶されたリモコン送信パターンに含まれるアラーム時刻とが比較され、そのアラーム時刻が現在時刻に到達したと判定されると、読出手段により記憶手段に記憶されたリモコン送信パターンに含まれるコードの読み出しが行われ、リモコン信号送信手段により読出手段によって読み出されたコードに基づき、リモコンコード信号が送信されるようにし、簡単な構成でプログラマブルな制御が行われるようにした。
【実施例】
【００１０】
以下、本発明の実施例の詳細について説明する。
図１は、本発明の遠隔制御装置の一実施例の概要を説明するための図である。
【００１１】
同図に示すように、遠隔制御装置としての目覚まし時計１０は、外部機器としてのたとえばテレビ２０、エアコン３０、室内照明４０のそれぞれを遠隔操作で制御するための後述のリモコンコード信号を送信するリモコン信号送信部１７を有している。リモコン信号送信部１７から送信されたリモコンコード信号は、テレビ２０、エアコン３０、室内照明４０のそれぞれの受信部２１，３１，４１によって受信されるようになっている。そして、そのリモコンコード信号に応じてテレビ２０、エアコン３０、室内照明４０のそれぞれの電源のオン／オフが制御される。なお、受信部２１，３１，４１によって受信されるリモコンコード信号は、赤外線又は電波等とすることができる。また、外部機器としては、テレビ２０、エアコン３０、室内照明４０に限らず、音響機器等の他の機器としてもよい。
【００１２】
図２は、目覚まし時計１０の構成を説明するためのブロック図である。同図に示すように、目覚まし時計１０は、上述したリモコン信号送信部１７に加え、入力操作部１１、記憶回路１２、時刻判定回路１３、時計回路１４、時刻表示部１５、読出回路１６を有している。
【００１３】
入力操作部１１は、ユーザにより各外部機器毎の遠隔操作の開始時刻を示すアラーム時刻とオン又はオフを示すコードとの組み合わせよりなるリモコン送信パターンの指定を行う際に操作されるものである。記憶回路１２は、各外部機器毎のオン又はオフを示すコードと、入力操作部１１により指定されたリモコン送信パターンとを記憶している。
【００１４】
時刻判定回路１３は、時計回路１４から得られる現在時刻と記憶回路１２に記憶された各リモコン送信パターンのアラーム時刻とを比較し、いずれかのアラーム時刻が現在時刻に到達したと判定すると、読出回路１６に対して記憶回路１２に記憶されている現在時刻に到達したアラーム時刻を有するコードあるいはリモコン送信パターンの読み出しを行わせる。
【００１５】
時計回路１４は、現在時刻を時刻判定回路１３に与える。時刻表示部１５は、時計回路１４からの現在時刻に基づき時刻表示を行う。読出回路１６は、記憶回路１２に記憶されたリモコン送信パターンに含まれるコードを読み出してリモコン信号送信部１７に与える。リモコン信号送信部１７は、読出回路１６によって読み出されたコードに基づき、赤外線又は電波等によってリモコンコード信号を送信する。
【００１６】
次に、図３及び図４を用い、目覚まし時計１０による遠隔制御方法について説明する。まず、図４は、ユーザにより指定された上述のリモコン送信パターンを示すものである。すなわち、図４（ａ）では、ＰＭ１１：００（アラーム時刻）にテレビがオフに指定され、ＰＭ１１：３０（アラーム時刻）にエアコンがオフに指定され、ＰＭ１０：００に室内照明がオフに指定されたことを示している。さらに、ＡＭ６：００（アラーム時刻）にテレビがオンに指定され、ＡＭ５：００（アラーム時刻）にエアコンがオンに指定され、ＡＭ６：００（アラーム時刻）に室内照明がオンに指定されたことを示している。
【００１７】
また、図４（ｂ）では、ＰＭ７：００（アラーム時刻）にテレビがオンに指定され、ＰＭ８：３０（アラーム時刻）にエアコンがオンに指定され、ＰＭ１２：００に室内照明がオフに指定されたことを示している。さらに、ＡＭ２：００（アラーム時刻）にテレビがオフに指定され、ＡＭ５：００（アラーム時刻）にエアコンがオフに指定され、ＡＭ１：００（アラーム時刻）に室内照明がオフに指定されたことを示している。つまり、外部機器毎にアラーム時刻を任意に指定することができることを示している。また、これらの指定されたリモコン送信パターンは記憶回路１２に記憶される。
【００１８】
そして、図３に示すように、時刻判定回路１３により、時計回路１４から現在時刻が読み取られると（ステップＳ１）、記憶回路１２に記憶されたリモコン送信パターンに含まれるアラーム時刻に、現在時刻と等しいものがあるか否かが判定される（ステップＳ２）。
【００１９】
ここで、記憶回路１２に記憶されたアラーム時刻に、現在時刻と等しいものが無い場合は、現在時刻が指定したアラーム時刻に達していないため、引き続き時刻判定回路１３による時計回路１４から現在時刻の読み取りと現在時刻と等しいものがあるか否かの判定とが繰り返される。
【００２０】
一方、記憶回路１２に記憶されたアラーム時刻に、現在時刻と等しいものが有る場合は、読出回路１６により、記憶回路１２に記憶されたリモコン送信パターンから現在時刻と等しいアラーム時刻を有するコードが読み出される（ステップＳ３）。
【００２１】
そして、読み出されたコードがリモコン信号送信部１７に与えられ、送信指示によってリモコン信号送信部１７からリモコンコード信号が送信されると（ステップＳ４）、上述したテレビ２０、エアコン３０、室内照明４０のいずれかの受信部２１，３１，４１によって受信される。
【００２２】
ここで、たとえばテレビ２０の電源がオンとなっているものとし、現在時刻がＰＭ１１：００になると、ＰＭ１１：００（アラーム時刻）にテレビ２０がオフに指定されている場合には、テレビ２０をオフとするコードがリモコンコード信号としてリモコン信号送信部１７から送信されることになる。この場合、そのリモコンコード信号はテレビ２０に対応するものであるため、テレビ２０のみがそのコードを判別し、電源をオフすることになる。
【００２３】
このように、本実施例では、入力操作手段としての入力操作部１１により外部機器のそれぞれの電源をオン又はオフするためのコードと、遠隔操作の開始時刻を示すアラーム時刻とを含むリモコン送信パターンの指定が行われると、その指定されたリモコン送信パターンが記憶手段としての記憶回路１２に記憶され、時刻判定手段としての時刻判定回路１３により現在時刻と記憶回路１２に記憶されたリモコン送信パターンに含まれるアラーム時刻とが比較され、そのアラーム時刻が現在時刻に到達したと判定されると、読出手段としての読出回路１６により記憶回路１２に記憶されたリモコン送信パターンに含まれるコードの読み出しが行われ、リモコン信号送信手段としてのリモコン信号送信部１７により読出回路１６によって読み出されたコードに基づき、リモコンコード信号が送信されるようにしたので、簡単な構成でプログラマブルな制御を行うことができる。
【００２４】
具体的には、入力操作部１１により指定されるリモコン送信パターンを、外部機器毎にアラーム時刻が指定されたものであるようにすることで、そのアラーム時刻が現在時刻に到達したとき、アラーム時刻毎にそのアラーム時刻を有するコードに対応する外部機器の電源を自動的にオン又はオフすることができる。
【００２５】
なお、本実施例では、図４で説明したように、外部機器毎にアラーム時刻を指定する場合について説明したが、この例に限らず、アラーム時刻毎に外部機器のオン／オフのコードをまとめて指定することも可能である。
【００２６】
すなわち、図５（ａ）〜（ｉ）に示すようなリモコン送信パターンのいずれかを指定するようにする。この場合、たとえば図５（ａ）に示すようなリモコン送信パターンが指定されていて、テレビ２０、エアコン３０、室内照明４０の全ての電源がオンとなっているものとする。そして、現在時刻がＰＭ１１：００になると、テレビ２０、エアコン３０、室内照明４０のそれぞれの電源をオフとするコードがリモコンコード信号としてリモコン信号送信部１７から送信されることになる。
【００２７】
また、上述したように、外部機器毎にアラーム時刻を指定する場合、あるいはアラーム時刻毎に外部機器のオン／オフのコードをまとめて指定する場合に加えて、上述したリモコン送信パターンを予め記憶回路１２に複数記憶させておき、いずれかのリモコン送信パターンを選択するようにすることも可能である。
【産業上の利用可能性】
【００２８】
テレビ、エアコン、室内照明等の外部機器に限らず、あらゆる機器の電源をオン／オフする遠隔制御装置に適用可能である。
【図面の簡単な説明】
【００２９】
【図１】本発明の遠隔制御装置の一実施例の概要を説明するための図である。
【図２】目覚まし時計の構成を説明するためのブロック図である。
【図３】図１の目覚まし時計による遠隔制御方法について説明するためのフローチャートである。
【図４】図１の目覚まし時計による遠隔制御方法に係るリモコン送信パターンの一例について説明するための図である。
【図５】図１の目覚まし時計による遠隔制御方法に係るリモコン送信パターンの他の例について説明するための図である。
【符号の説明】
【００３０】
１０  目覚まし時計
１１  入力操作部（入力操作手段）
１２  記憶回路（記憶手段）
１３  時刻判定回路（時刻判定手段）
１４  時計回路
１５  時刻表示部
１６  読出回路（読出手段）
１７  リモコン信号送信部（リモコン信号送信手段）
２０  テレビ
３０  エアコン
４０  室内照明
【図１】
2007116280.tif 000003
【図２】
2007116280.tif 000004
【図３】
2007116280.tif 000005
【図４】
2007116280.tif 000006
【図５】
2007116280.tif 000007